(57)【特許請求の範囲】
【請求項１】
車両キーから無線によって発信されたキー固有の第１識別コードを車両側の第１車両アンテナで受信すると、前記車両の各種車両動作を制御する制御ユニットが、キー側の第１識別コードと車両側の第１識別コードとを照合するとともに当該照合が成立すれば前記各種車両動作を許可又は実行し、前記車両キーの鍵山が前記車両側の鍵穴に一致するか否かを確認する照合も実行可能な電子キーシステムにおいて、
自身のメモリに用途別の多目的なデータが管理され、前記用途別単位で前記車両又は車両以外の無線通信対象と行う無線通信を、自身１つで実施可能であり、自身が持つ固有の第２識別コードと当該第２識別コードの使用制限情報とを含む識別データを発信可能な通信端末と、
前記車両に設けられ、前記通信端末が前記無線通信を介して発信した前記識別データを第２車両アンテナで受信した際、端末側の前記第２識別コードと車両側の第２識別コードとの間で識別コードを照合し、前記使用制限情報の内容から前記端末側の第２識別コードが使用条件を満たしているか否かを判定し、前記照合が成立するとともに前記端末側の第２識別コードが前記使用条件を満たしていれば、その旨の通知を前記制御ユニットに出力して、当該制御ユニットによる前記各種車両動作を許可又は実行させる通信機器とを備え、
前記制御ユニットは、前記車両キーが発信する前記第１識別コードを前記第１車両アンテナで受信した際、前記キー側の第１識別コードと前記車両側の第１識別コードとを照合し、当該照合が成立し、かつ前記車両キーによる鍵山の照合が成立した際にエンジン始動を許可する始動許可制御回路であり、
前記通信機器は、前記車両キーと前記第１識別コードの照合が成立していなくても、車内に位置する前記通信端末と前記第２識別コードの照合が成立し、かつ前記車両キーとは別のキーで鍵山による照合が成立し、前記第２識別コードが前記使用条件を満たしていれば、前記始動許可制御回路によるエンジン始動を可能とすることを特徴とする電子キーシステム。
【請求項２】
前記無線通信の通信方式は、駆動電波を発信する前記第２アンテナに前記通信端末をかざすと、当該駆動電波で前記通信端末が起動して前記通信機器との間で通信が開始され、その通信時においては、前記通信端末及び通信機器間において副搬送波を使用しない対称通信によって通信が行われるとともに、前記通信端末と通信機器との間でデータをやり取りするごとに暗号鍵を変える暗号化通信が用いられ、かつ前記通信端末と通信機器との間で各々異なる乱数を発生させて各々が乱数一致の確認を行う相互認証が採用されていることを特徴とする請求項１に記載の電子キーシステム。
【請求項３】
前記車両キーは、キー固有の前記第１識別コードを持つ無線タグを内蔵し、通信相手である前記第１車両アンテナからタグ用駆動電波を受けると前記無線タグが起動して前記第１識別コードを発信し、
前記制御ユニットは、前記車両キーが発信する前記第１識別コードを前記第１車両アンテナで受信した際、前記キー側の第１識別コードと前記車両側の第１識別コードとを照合し、当該照合が成立した際にエンジン始動を許可する始動許可制御回路であり、
前記通信機器は、車内に位置する前記通信端末が発信する前記第２識別コードを受信した際、前記端末側の第２識別コードが前記車両側の第２識別コードに一致して前記照合が成立するとともに、前記端末側の第２識別コードが使用条件を満たしていれば、その旨の通知を前記始動許可制御回路に出力し、当該始動許可制御回路によるエンジン始動を許可させることを特徴とする請求項１又は２に記載の電子キーシステム。
【請求項４】
前記車両キーは、ドアロックの施解錠を行う操作が前記車両キーに加えられた際、その旨に応じた信号として前記第１識別コードを発信し、
前記制御ユニットは、前記車両キーが発信する前記第１識別コードを前記第１車両アンテナで受信した際、前記キー側の第１識別コードと前記車両側の第１識別コードとを照合し、当該照合が成立した際にドアロックの施解錠を許可又は実行する照合制御回路であり、
前記通信機器は、車外に位置する前記通信端末が発信する第２識別コードを受信した際、前記端末側の第２識別コードが前記車両側の第２識別コードに一致して前記照合が成立するとともに、前記端末側の第２識別コードが使用条件を満たしていれば、前記照合制御回路からの指令を基にドアロックの施解錠を行うドアロック制御回路にその旨の通知を出力し、当該ドアロック制御回路による前記ドアロックの施解錠を許可又は実行させることを特徴とする請求項１〜３のうちいずれか一項に記載の電子キーシステム。
【請求項５】
前記通信端末及び通信機器から成る通信ユニットは、必要に応じて前記車両に取り付け可能な後付け用品であることを特徴とする請求項１〜４のうちいずれか一項に記載の電子キーシステム。
【請求項６】
前記使用制限情報は、前記第２識別コードがいつまで使用可能かを表す有効期限であることを特徴とする請求項１〜５のうちいずれか一項に記載の電子キーシステム。
【請求項７】
前記通信機器は、自動で時刻を修正可能な電波時計を有し、当該電波時計の時間データを基に今現在の時間を認識し、その今現在の時間と、前記通信端末から受信した前記端末側の第２識別コードの前記有効期限とを比較して当該有効期限が期限内であるか否かを見ることで、前記端末側の第２識別コードの使用が有効か否かを判定することを特徴とする請求項６に記載の電子キーシステム。
【請求項８】
前記鍵山の照合で使用するキーは、予め車内に保管されているものであることを特徴とする請求項１〜７のうちいずれか一項に記載の電子キーシステム。
【発明の詳細な説明】
【技術分野】
【０００１】  本発明は、車両キーと車両との間の認証を種々の無線通信で行って車両の各種動作を許可又は実行する電子キーシステムに関する。
【背景技術】
【０００２】
近年、特許文献１に示すように、車両キーと車両との間で無線通信によって信号のやり取りを行い、例えばドア施解錠やエンジン始動等の車両の各種動作を許可又は実行する電子キーシステムが広く普及している。この種の電子キーシステムの一種として、車両盗難防止を目的としたイモビライザーシステムがある。イモビライザーシステムは、車両キーに内蔵されたトランスポンダからＩＤコードを読み出し、この車両キーのＩＤコードが、予め車両に記憶されているＩＤコードと一致すれば、イモビライザーシステムのイモビロック状態が解除されて、エンジン始動が許可されるシステムである。
【特許文献１】特開２００５−８３０１１号公報
【発明の開示】
【発明が解決しようとする課題】
【０００３】
一般的に、イモビライザーシステムを搭載した車両のエンジン始動には、車両キー（メカニカルキー）の鍵山がキーシリンダの鍵穴に一致することと、トランスポンダによるイモビライザーシステムのイモビロック解除とが条件となっている。ここで、車両キーが手元になくてもエンジン始動を許可しようとすると、他の通信端末（例えば携帯電話等）にＩＤコードを持たせて、更にこれにメカニカルキーの鍵山構造を持たせる必要がある。しかし、携帯電話にメカニカルキーを持たせるのは現実的に困難であるので、この種のイモビライザーシステムを有する車両において、エンジン始動の許可・不許可は、結局のところ専用の車両キーを携帯しているかどうかによるところとなってしまう。
【０００４】  本発明の目的は、専用キーの所持・不所持にかかわらず、他の通信端末によってドア施解錠やエンジン始動等の各種車両動作の許可・不許可を決定することができ、このような構造を採用したとしても、それ用の通信端末を別途用意する状況が生じ難く、かつ通信端末で各種車両動作を許可しても車両盗難に対するセキュリティ性を確保することができる電子キーシステムを提供することにある。
【課題を解決するための手段】
【０００５】
上記問題点を解決するために、本発明によれば、車両キーから無線によって発信されたキー固有の第１識別コードを車両側の第１車両アンテナで受信すると、前記車両の各種車両動作を制御する制御ユニットが、キー側の第１識別コードと車両側の第１識別コードとを照合するとともに当該照合が成立すれば前記各種車両動作を許可又は実行し、前記車両キーの鍵山が前記車両側の鍵穴に一致するか否かを確認する照合も実行可能な電子キーシステムにおいて、自身のメモリに用途別の多目的なデータが管理され、前記用途別単位で前記車両又は車両以外の無線通信対象と行う無線通信を、自身１つで実施可能であり、自身が持つ固有の第２識別コードと当該第２識別コードの使用制限情報とを含む識別データを発信可能な通信端末と、前記車両に設けられ、前記通信端末が前記無線通信を介して発信した前記識別データを第２車両アンテナで受信した際、端末側の前記第２識別コードと車両側の第２識別コードとの間で識別コードを照合し、前記使用制限情報の内容から前記端末側の第２識別コードが使用条件を満たしているか否かを判定し、前記照合が成立するとともに前記端末側の第２識別コードが前記使用条件を満たしていれば、その旨の通知を前記制御ユニットに出力して、当該制御ユニットによる前記各種車両動作を許可又は実行させる通信機器とを備え、前記制御ユニットは、前記車両キーが発信する前記第１識別コードを前記第１車両アンテナで受信した際、前記キー側の第１識別コードと前記車両側の第１識別コードとを照合し、当該照合が成立し、かつ前記車両キーによる鍵山の照合が成立した際にエンジン始動を許可する始動許可制御回路であり、前記通信機器は、前記車両キーと前記第１識別コードの照合が成立していなくても、車内に位置する前記通信端末と前記第２識別コードの照合が成立し、かつ前記車両キーとは別のキーで鍵山による照合が成立し、前記第２識別コードが前記使用条件を満たしていれば、前記始動許可制御回路によるエンジン始動を可能とすることを要旨とする。
【０００６】
この構成によれば、通常の車両キーにおいては、第１識別コードを発信する機能は専用の車両キーのみに付加された機能であることが多い。よって、手元に専用キーがない場合、キー及び車両間における第１識別コードの照合が行えないことから、例えばドアロックを施解錠したり、エンジン始動を許可したりするという各種車両動作を実行できない状況になる。
【０００７】
そこで、本例においては、固有の第２識別コードを発信する通信端末を用意するとともに、この通信端末との間で無線通信により第２識別コードの照合を行う通信機器を車両に搭載する。また、第１識別コードを発信できないが鍵山は有するメカニカルキーを車両のアタッシュケース等に保管しておく。駐車車両に乗り込む際には、通信端末と通信機器との間で無線通信による第２識別コードの照合を行い、これらコードが一致して照合が成立すれば、ドアロック施解錠やエンジン始動が許可された状態となる。そして、車内に保管してあるメカニカルキーを取り出してキーシリンダに挿し込み、メカニカルキーをエンジンスタート位置まで回せば、エンジンが始動することになる。従って、専用キーが手元になくても、通信端末を所有していれば、駐車中の車両に乗り込んでエンジンを始動するという一連の操作を実行することが可能となる。
【０００８】
また、本発明に用いる通信端末には、複数の無線通信対象との間の無線通信を自身１つで実現可能、つまり１枚で複数のカード機能を満たすことが可能な機能があるため、例えば財布、乗車券、入退室証などとして通信端末を用いるべく、この通信端末をユーザが予め所有している場合が多い。よって、本発明においては、この通信端末に車両用の第２識別コードを登録して車両キーとして使用するため、車両キー代替端末を別途用意する必要も生じ難い。
【０００９】
更に、通信端末を車両キーの代替キーとして用いる構成としても、通信端末に登録された第２識別コードが使用条件を満たしていなければ、この第２識別コードが無効となり、通信端末を車両キーとして使用することができない。例えば、複数の通信端末に第２識別コードを発行すると、車両キーが複数存在することになり、キー管理が煩雑になって車両盗難が発生する問題も生じかねない。しかし、第２識別コードが使用条件を満たしている間のみ使用が有効となるため、その期間を過ぎれば車両キーとして使用できなくなることから、車両キーが悪用される状況になり難く、車両盗難に対するセキュリティ性も確保される。
【００１０】
本発明によれば、前記無線通信の通信方式は、駆動電波を発信する前記第２アンテナに前記通信端末をかざすと、当該駆動電波で前記通信端末が起動して前記通信機器との間で通信が開始され、その通信時においては、前記通信端末及び通信機器間において副搬送波を使用しない対称通信によって通信が行われるとともに、前記通信端末と通信機器との間でデータをやり取りするごとに暗号鍵を変える暗号化通信が用いられ、かつ前記通信端末と通信機器との間で各々異なる乱数を発生させて各々が乱数一致の確認を行う相互認証が採用されていることを要旨とする。
【００１１】
この構成によれば、通信端末及び通信機器間の通信に、対称通信という非常に通信速度の速い方法を用いるので、通信端末及び通信機器間の通信を非常に高速なものとすることが可能となる。また、通信端末及び通信機器間の通信に秘密性の高い暗号化通信を用いるとともに、通信端末及び通信機器の各々で乱数一致確認を行う相互認証を用いるので、通信端末及び通信機器間の通信のセキュリティレベルを極めて高くすることも可能となる。
【００１２】
本発明によれば、前記車両キーは、キー固有の前記第１識別コードを持つ無線タグを内蔵し、通信相手である前記第１車両アンテナからタグ用駆動電波を受けると前記無線タグが起動して前記第１識別コードを発信し、前記制御ユニットは、前記車両キーが発信する前記第１識別コードを前記第１車両アンテナで受信した際、前記キー側の第１識別コードと前記車両側の第１識別コードとを照合し、当該照合が成立した際にエンジン始動を許可する始動許可制御回路であり、前記通信機器は、車内に位置する前記通信端末が発信する前記第２識別コードを受信した際、前記端末側の第２識別コードが前記車両側の第２識別コードに一致して前記照合が成立するとともに、前記端末側の第２識別コードが使用条件を満たしていれば、その旨の通知を前記始動許可制御回路に出力し、当該始動許可制御回路によるエンジン始動を許可させることを要旨とする。
この構成によれば、専用キーを所有していなくても、通信端末によってエンジン始動が許可されることから、通信端末を所有していればエンジンを始動することが可能となる。
【００１３】
本発明によれば、前記車両キーは、ドアロックの施解錠を行う操作が前記車両キーに加えられた際、その旨に応じた信号として前記第１識別コードを発信し、前記制御ユニットは、前記車両キーが発信する前記第１識別コードを前記第１車両アンテナで受信した際、前記キー側の第１識別コードと前記車両側の第１識別コードとを照合し、当該照合が成立した際にドアロックの施解錠を許可又は実行する照合制御回路であり、前記通信機器は、車外に位置する前記通信端末が発信する第２識別コードを受信した際、前記端末側の第２識別コードが前記車両側の第２識別コードに一致して前記照合が成立するとともに、前記端末側の第２識別コードが使用条件を満たしていれば、前記照合制御回路からの指令を基にドアロックの施解錠を行うドアロック制御回路にその旨の通知を出力し、当該ドアロック制御回路による前記ドアロックの施解錠を許可又は実行させることを要旨とする。
【００１４】
この構成によれば、専用キーを所有していなくても、通信端末によってドアロックの施解錠が許可又は実行されることになり、通信端末を所有していれば車両の乗り降りが可能となる。
【００１５】
本発明によれば、前記通信端末及び通信機器から成る通信ユニットは、必要に応じて前記車両に取り付け可能な後付け用品であることを要旨とする。
この構成によれば、通信端末及び通信機器から成る通信ユニットが車両に後付け可能であるので、通信端末と通信機器との間で識別コードの照合が成立すれば専用キーを用いなくとも車両の各種動作が許可又は実行される機能を、必要に応じて車両に適宜設けることが可能となる。
【００１６】
本発明によれば、前記使用制限情報は、前記第２識別コードがいつまで使用可能かを表す有効期限であることを要旨とする。
この構成によれば、第２識別コードが使用条件を満たしているか否かは、例えば回数制限を見るのではなく、有効期限を満たすか否かが判断基準となる。従って、第２識別コードの有効期限内であれば、その第２識別コードが登録された通信端末で、何度でもドアロックの施解錠やエンジン始動を行うことが可能となる。
【００１７】
本発明によれば、前記通信機器は、自動で時刻を修正可能な電波時計を有し、当該電波時計の時間データを基に今現在の時間を認識し、その今現在の時間と、前記通信端末から受信した前記端末側の第２識別コードの前記有効期限とを比較して当該有効期限が期限内であるか否かを見ることで、前記端末側の第２識別コードの使用が有効か否かを判定することを要旨とする。
【００１８】
この構成によれば、通信端末の第２識別コードの有効期限が期限内か否かを通信端末が判定する際、今現在の時刻は電波時計の時計データに基づき行われる。従って、例えば車両に搭載されたバッテリの電力が無くなり、時計の電源が切れて時刻がリセットされても、バッテリを交換して電源が再供給された後には、時計の時刻が自動で修正されることになるため、通信端末が有効期限の判定を行う際に誤判定が生じ難くなる。
【００１９】  本発明によれば、前記鍵山の照合で使用するキーは、予め車内に保管されているものであることを要旨とする。
【発明の効果】
【００２０】
本発明によれば、専用キーの所持・不所持にかかわらず、他の通信端末によってドア施解錠やエンジン始動等の各種車両動作の許可・不許可を決定することができ、このような構造を採用したとしても、それ用の通信端末を別途用意する状況が生じ難く、かつ通信端末で各種車両動作を許可しても車両盗難に対するセキュリティ性を確保することができる。
【発明を実施するための最良の形態】
【００２１】  以下、本発明を具体化した電子キーシステムの一実施形態を図１〜図４に従って説明する。  図１に示すように、車両１には、車両盗難防止を目的としてイモビライザーシステム１ａが搭載されている。このイモビライザーシステム１ａは、車両キーであるワイヤレスキー（専用キー：メインキー及びサブキーを含む）２に内蔵されたトランスポンダ２ａが、車両１から発信される電磁波によって起動し、起動後にトランスポンダが発信するトランスポンダＩＤコードが、車両に登録されたトランスポンダＩＤコードが一致したことを条件として、エンジン始動が許可されるシステムである。なお、ワイヤレスキー２が車両キーに相当する。【００２２】
車両１には、ワイヤレスキー２との間で無線通信によりＩＤ照合を行うセキュリティＥＣＵ(Electronic Control Unit：以下同様)３と、車両１のドアロックの施解錠を制御するドアＥＣＵ４とが搭載されている。これらＥＣＵ３，４は、車内のバス５を介して接続されている。セキュリティＥＣＵ３には、ワイヤレスキー２との間で無線通信が可能なドアコントロールレシーバ６が接続されている。なお、セキュリティＥＣＵ３が制御ユニット（照合制御回路）に相当し、ドアＥＣＵ４がドアロック制御回路に相当する。また、ドアコントロールレシーバ６が第１車両アンテナを構成する。
【００２３】
ワイヤレスキー２のドアロック解除ボタン９が押されると、ワイヤレスキー２は、キー固有の車両キーＩＤコード（第１識別コード）を乗せたドアロック解除要求信号Ｓａを車両１に送信する。セキュリティＥＣＵ３は、ドアコントロールレシーバ６を介してドアロック解除要求信号Ｓａを入力すると、その信号に含まれる車両キーＩＤコードが、車両側に登録された車両キーＩＤコードと一致するか否か判定し、車両キーＩＤコードが正しければドアＥＣＵ４に照合成立信号を出力する。ドアＥＣＵ４は、ドアロック状態において照合成立信号を入力すると、ドアロックモータ７を駆動してドアロックを解除状態にする。なお、ドアロックを施錠状態にする際も同様の処理が行われる。
【００２４】
セキュリティＥＣＵ３には、車両盗難防止機能を満たすイモビライザーＥＣＵ８が接続されている。ワイヤレスキー２には、チップ固有のトランスポンダＩＤコード（第１識別コード）を持つトランスポンダ２ａが内蔵されている。イモビライザーＥＣＵ８には、エンジン１０の点火制御や燃料噴射制御を行うエンジンＥＣＵ１１が搭載されている。なおイモビライザーＥＣＵ８が制御ユニット（始動許可制御回路）に相当し、トランスポンダ２ａが無線タグに相当する。
【００２５】
イモビライザーＥＣＵ８には、増幅器１２を介してイモビライザーＥＣＵ８用の送受信アンテナ１３が接続されている。送受信アンテナ１３は、キーシリンダ１４に対して周方向に巻装されることでコイル状に形成されるとともに、微小エリアの範囲内に駆動電波（電磁波）Ｓb1を断続的に送信している。イモビライザーＥＣＵ８は、この送受信アンテナ１３を介して、トランスポンダ２ａと無線通信が可能である。なお、送受信アンテナ１３が第１車両アンテナを構成し、駆動電波Ｓb1がタグ用駆動電波に相当する。
【００２６】
ワイヤレスキー２がキーシリンダ１４に挿し込まれる際、ワイヤレスキー２内のトランスポンダ２ａが送受信アンテナ１３から駆動電波Ｓb1を受信して駆動を開始し、自身のトランスポンダＩＤコードを乗せたトランスポンダ信号Ｓb2を送信する。イモビライザーＥＣＵ８は、送受信アンテナ１３を介してこのトランスポンダ信号Ｓb2を受信し、トランスポンダ信号Ｓb2のトランスポンダＩＤコードと、自身のトランスポンダＩＤコードとを比較する。イモビライザーＥＣＵ８は、これらＩＤコードが一致すれば、正規の運転者が車両１に乗り込んだと判断してイモビアンロック状態となり、エンジン始動を許可すべくエンジンＥＣＵ１１にエンジン始動許可信号を出力する。
【００２７】
キーシリンダ１４に挿し込まれたワイヤレスキー２がオフ位置からスタータ位置まで回されて、エンジンスイッチ１４ａのスタータスイッチがオンすると、エンジンスタート用のスタータモータ１５が駆動する。このとき、エンジンＥＣＵ１１は、イモビライザーＥＣＵ８からエンジン始動許可信号を入力していれば、エンジン１０のプラグ点火及び燃料噴射を行い、エンジン１０の始動を開始する。
【００２８】  車両１には、FeliCa（登録商標）と呼ばれる非接触ＩＣカード通信技術を用いた非接触ＩＣカード通信システム（以下、単に通信システムと記す）１６が搭載されている。この通信システム１６は、ＩＣカードを財布や乗車券として使用して決算を済ませたり、ＩＣカードを社員証や学生証として使用して入退室管理を行ったりすることが可能なシステムである。通信システム１６は、主な特徴としては偽造・変造し難い高い安全性、データ送受信が高速処理、ＩＣカード自体を何度も再利用可能、１枚のＩＣカードで複数の用途が可能などの種々の利点がある。通信システム１６は、車両１の後付け用品であり、ユーザの用途に応じて車両１に別途増設される。【００２９】
通信システム１６は、車両１に取り付けられたリーダライタ１７と、携帯電話１８に内蔵された通信回路（ＩＣカード）１９とを備えている。リーダライタ１７と通信回路１９とは、ISO/IEC 18092の規格に準拠した通信方式の無線通信が可能である。この規格の無線通信方式は、リーダライタ１７から通信回路１９への通信と、通信回路１９からリーダライタ１７への通信とで同じ符号化／変調化方式を採用した対称通信が採用されている。また、この規格の無線通信方式は、搬送波が13.56MHz、通信速度が212kbps、副搬送波が「なし」、符号化方式がManchester方式、衝突検出／回避がタイムスロット方式の通信である。なお、リーダライタ１７が通信端末に相当し、通信回路１９が通信端末に相当する。
【００３０】
リーダライタ１７は、同リーダライタ１７を制御する通信コントローラ（コントロールボード）２０と、通信コントローラ２０に接続された車外アンテナ２１及び車内アンテナ２２とを備えている。通信コントローラ２０は、ドアＥＣＵ４及びイモビライザーＥＣＵ８に各々別々の通信線（配線）を介して接続されるとともに、例えば運転席の下方に配置されている。通信コントローラ２０は、携帯電話１８が車外にある際には、車外アンテナ２１を介して携帯電話１８の通信回路１９と相互通信を行い、携帯電話１８が車外にある際には、車内アンテナ２２を介して携帯電話１８の通信回路１９と相互通信を行う。
【００３１】
車外アンテナ２１は、例えばドア外側のドアハンドルノブに設置され、微小エリア（例えば5〜10cm程度）の範囲内で通信を行う特性を持つアンテナである。また、車内アンテナ２２は、例えば運転席のステアリングホイールの近傍に設置され、車外アンテナ２１と同じく、微小エリアの範囲内で通信を行う特性を持つアンテナである。
【００３２】
通信コントローラ２０には、通信システム１６を起動させる例えば押下式の起動ボタン２３が接続されている。この起動ボタン２３は、例えばドアハンドルノブ等に配設され、押下操作された際にオン信号を通信コントローラ２０に出力する。通信コントローラ２０は、起動ボタン２３からオン信号を入力すると通信システム１６を起動させる。なお、車外アンテナ２１及び車内アンテナ２２が第２車両アンテナに相当し、起動ボタン２３が操作手段に相当する。
【００３３】
携帯電話１８には、携帯電話１８を統括制御するＣＰＵ２４と、携帯電話１８用の各種プログラム及びアプリケーションを記憶したＲＯＭ２５と、ＣＰＵ２４がプログラムやアプリケーションを実行する際の作業領域となるＲＡＭ２６とが内蔵されている。また、携帯電話１８には、携帯電話１８を作動させる際に操作する各種ボタン群２７と、操作者の音声を集音するマイク２８と、通話者の音声を出力するスピーカ２９と、各種作動に応じた画像や文字を表示する画面３０とが配設されている。
【００３４】
通信回路１９は、インターフェース３１を介してＣＰＵ２４に接続されている。通信回路１９のＩＣ基板３２には、通信回路１９を制御する制御ＩＣ３３と、データ書き換え可能なメモリ（EEPROM等）３４と、各種信号を送受信可能なアンテナ３５とが配設されている。メモリ３４は、例えばEEPROM等が用いられ、プリント配線によって制御ＩＣ３３に接続されている。また、アンテナ３５は、基板３２の周縁に沿って四角環状に巻回された形状をなすとともに、電気的に制御ＩＣ３３に接続されている。なお、制御ＩＣ３３が登録手段に相当する。
【００３５】
通信コントローラ２０は、起動ボタン２３が押されて通信システム１６を起動開始した際、通信回路１９と通信を行う前段階において、車外アンテナ２１及び車内アンテナ２２から、微小エリアの範囲内に駆動電波（電磁波）Ｓc1を断続的に発信させる。この駆動電波Ｓc1の発信エリアは5〜10cm程度と微小であるため、携帯電話１８（即ち、通信回路１９）を車外アンテナ２１又は車内アンテナ２２にかざすと、アンテナ３５がこの駆動電波Ｓc1を受信した状態となる。このとき、この駆動電波Ｓc1によって通信回路１９内に電力が発生し、この電力を基に通信回路１９が起動する。
【００３６】
通信回路１９の起動開始後、リーダライタ１７と通信回路１９とは、ISO/IEC 18092の規格に準拠した通信方式に沿って相互に通信を行う。リーダライタ１７と通信回路１９との間の通信には、送信データを暗号化するとともに、そのデータに乱数を発生させて、リーダライタ１７及び通信回路１９間で相互認証を行う通信手法が採用されている。この通信時において制御ＩＣ３３は、リーダライタ１７からの指令に基づき、メモリ３４のデータ読み取りや、メモリ３４へのデータ書き込み等の各処理を行うことが可能である。
【００３７】
通信回路１９のメモリ３４には、車両用のキーＩＤとして複合ＩＤキーKidが記憶されている。複合ＩＤキーKidは、キー固有のコードデータである携帯キーＩＤコード（第２識別コード）と、この携帯キーＩＤコードの有効期限（使用制限情報）とから成るとともに、暗号化された状態でメモリ３４に登録されている。複合ＩＤキーKidの有効期限は、携帯キーＩＤコードがいつまで使用可能かを表す日時データである。なお、複合ＩＤキーＫidが識別データに相当する。
【００３８】
一方、通信コントローラ２０のメモリ３６には、通信回路１９に登録されたものと同様の携帯キーＩＤコードが記憶されている。また、通信コントローラ２０には、時刻及びカレンダーを自動修正可能な電波時計２０ａが接続されている。電波時計２０ａは、時間情報が乗せられた標準電波を超高性能なアンテナで受信し、その標準電波を用いて時刻を自動で修正する。通信コントローラ２０は、電波時計２０ａから時間データを常時入力し、この時間データから今現在の日時を認識可能である。
【００３９】
この通信システム１６において、リーダライタ１７と通信回路１９とが無線通信を行う際、リーダライタ１７の通信コントローラ２０は、携帯電話１８側の携帯キーＩＤコードと、リーダライタ１７側の携帯キーＩＤコードとを照合する。そして、通信コントローラ２０は、携帯電話１８側の携帯キーＩＤコードが、リーダライタ１７側の携帯キーＩＤコードと一致し、かつ携帯電話１８から送信された携帯キーＩＤコードが有効期限を満たしていれば、携帯電話１８で車両１の各種動作を許可又は実行する。
【００４０】
例えば、車両１の駐車状態（エンジン停止及びドアロック施錠状態）の際に、携帯電話１８を車外アンテナ２１にかざすと、リーダライタ１７と通信回路１９との間で無線通信が行われる。このとき、車外アンテナ２１が発信する駆動電波Ｓc1で通信回路１９が起動を開始し、複合ＩＤキーKidを乗せたＩＤコード信号Ｓc2を通信回路１９が返信する。通信コントローラ２０は、車外アンテナ２１でそのＩＤコード信号Ｓc2を受信し、通信回路１９の携帯キーＩＤコードを取得する。通信コントローラ２０は、通信回路１９から取得した携帯キーＩＤコードと、自身の携帯キーＩＤコードとを比較し、これらコードが一致するか否かを判定する。
【００４１】
また、通信コントローラ２０は、複合ＩＤキーKidに含まれる有効期限と、電波時計２０ａの時間データから認識する今現在の日時とを比較し、通信回路１９から送信された携帯キーＩＤコードが有効期限内のものか否か判定する。通信コントローラ２０は、リーダライタ１７及び通信回路１９間で携帯キーＩＤコードが一致（ＩＤ照合が成立）し、しかも通信回路１９から送信された携帯キーＩＤコードが有効期限内のものであれば、ドアロック解除を許可すべく照合成立信号Ｓr1をドアＥＣＵ４に出力する。ドアＥＣＵ４は、ドアロック状態で通信コントローラ２０から照合成立信号Ｓr1を入力すると、ドアロックを解除する。
【００４２】
一方、車両１がエンジン停止中でドアロックが解除状態の際に、携帯電話１８を車外アンテナ２１にかざすと、リーダライタ１７と通信回路１９との間で無線通信が行われ、ドアロック時の場合と同様に、通信コントローラ２０が通信回路１９から複合ＩＤキーKidを取得する。通信コントローラ２０は、自身の携帯キーＩＤコードと通信回路１９の携帯キーＩＤコードとを照合するとともに、複合キーＩＤKidが有効期限内か否かを判定する。通信コントローラ２０は、これら携帯キーＩＤコードが一致し、かつ携帯電話１８の携帯キーＩＤコードが有効期限内のものであれば、ドアロックを施錠すべく照合成立信号Ｓr1をドアＥＣＵ４に出力する。ドアＥＣＵ４は、ドアアンロック状態で通信コントローラ２０から照合成立信号Ｓr1を入力すると、ドアロックを施錠する。
【００４３】
また、エンジン停止状態の際に運転者が車内に乗り込み、携帯電話１８を車内アンテナ２２にかざすと、リーダライタ１７と通信回路１９との間で無線通信が行われ、ドア施解錠の場合と同様に、通信コントローラ２０が通信回路１９から複合ＩＤキーKidを取得する。通信コントローラ２０は、自身の携帯キーＩＤコードと通信回路１９の携帯キーＩＤコードとを照合するとともに、複合キーＩＤKidが有効期限内か否かを判定する。通信コントローラ２０は、これら携帯キーＩＤコードが一致し、かつ携帯電話１８の携帯キーＩＤコードが有効期限内のものであれば、エンジン始動を許可すべく照合成立信号Ｓr2をイモビライザーＥＣＵ８に出力する。イモビライザーＥＣＵ８は、通信コントローラ２０から照合成立信号Ｓr2を入力すると、エンジン始動を許可するイモビアンロック状態となり、エンジン始動許可信号をエンジンＥＣＵ１１に出力する。
【００４４】
ここで、ワイヤレスキー２等の専用キーが手元にない状態でエンジン１１を始動したい場合がある。しかし、専用キーが手元にないと、それ以外のキーにはキー内にトランスポンダ２ａが内蔵されていないため、トランスポンダ２ａを用いた照合が行えず、イモビライザーＥＣＵ８のイモビロックを解除できないことから、結果としてエンジン始動については実行できない状態となる。
【００４５】
しかし、携帯キーＩＤコードを登録した携帯電話１８を車内アンテナ２２にかざし、携帯電話１８とリーダライタ１７との間でＩＤ照合が成立し、かつ携帯電話１８側の携帯キーＩＤコードが有効期限内のものであれば、イモビライザーＥＣＵ８のイモビロックが解除される。そして、車内のアタッシュケース等に保管しておいたメカニカルキー３７を取り出し、それをキーシリンダ１４に挿し込んでスタータ位置まで回せば、エンジン１１が始動することになる。なお、このメカニカルキーは、キーシリンダ１４内の鍵穴に対応した鍵山は有するものの、トランスポンダ２ａを内蔵していないキーである。
【００４６】
運転者がエンジン１０を停止して降車し、携帯電話１８を車外アンテナ２１にかざして解除状態のドアロックを施錠すると、ドアＥＣＵ４は、ドアロック完了信号Ｓr3を通信コントローラ２０に出力する。通信コントローラ２０は、ドアＥＣＵ４からドアロック完了信号Ｓr3を入力すると、起動ボタン２３が再操作されるまで、通信システム１６の起動を停止する。
【００４７】
なお、通信回路１９のメモリ３４には、用途別に複数のフォルダと、そのフォルダ内に複数のファイルとを持つ事が可能である。このため、携帯電話１８は、メモリ３４に複合ＩＤキーKid（即ち、車両キーＩＤ）の他に種々のデータが書き込まれることによって、携帯電話１つで複数のカード機能を満たすマルチアプリケーション機能を有している。っている。従って、この通信回路１９を内蔵した携帯電話１８は、車両キーの代用として用いられるだけでなく、例えば電車の乗車券（定期券）、プリペイドカード（財布）、ポイントカード、会員証、社員証、学生証、クレジットカード、マイレージカードなどの様々のカードとして使用することが可能である。
【００４８】
携帯電話１８（即ち、通信回路１９のメモリ３４）に複合ＩＤキーKidを登録する方法としては、携帯電話１８を専用の管理サーバ３８にネットワーク接続して管理サーバ３８から取得する方法と、複合ＩＤキーKidを携帯電話１８に書き込み可能な専用の書込装置３９に携帯電話１８をセットして、この書込装置３９から取得する方法とがある。
【００４９】
まず、管理サーバ３８から複合ＩＤキーKidを取得する場合、携帯電話１８のボタン群２７を操作して携帯電話１８を自身のアンテナ４０を介し、管理サーバ３８にネットワーク接続する。このとき、携帯電話１８の画面３０には、図２に示すＩＤコード取得画面４１が表示される。このＩＤコード取得画面４１には、通信システム１６への加入時にシステム管理者から付与される管理番号を入力するための管理番号入力欄４１ａと、車両所有者が自身で設定する暗証番号を入力するための暗証番号入力欄４１ｂと、有効期限として設定したい日時を入力するための有効期限入力欄４１ｃとがある。ここで、有効期限入力欄４１ｃに入力する有効期限に上限（例えば、今の時点から最大１０日）を設けることで、携帯電話１８に付与する複合ＩＤキーKidの乱用を防ぐようにしてもよい。使用者は、このＩＤコード取得画面４１に必要事項を入力した後、この個人情報データを管理サーバ３８に返信する。
【００５０】
管理サーバ３８のデータベースには、通信システム１６に加入した加入者の管理番号及び暗証番号が登録されている。よって、管理サーバ３８は、携帯電話１８から入力した管理番号及び暗証番号に基づきデータベースを参照することで、管理サーバ３８に接続してきた使用者を認識し、この使用者の所有車両の携帯キーＩＤコードをデータベースから読み出す。そして、管理サーバ３８は、この携帯キーＩＤコードと有効期限とを含んだ複合ＩＤキーKidを生成し、この複合ＩＤキーKidを乗せたＩＤコードデータを、使用者の携帯電話１８に返信する。
【００５１】
携帯電話１８がアンテナ４０を介してＩＤコードデータを受信すると、携帯電話１８のＣＰＵ２４がこのＩＤコードデータを、インターフェース３１を介して通信回路１９に出力する。通信回路１９がこのＩＤコードデータを受け取ると、通信回路１９の制御ＩＣ３３が、この複合ＩＤキーKidを自身のメモリ３４に書き込む。これにより、管理サーバ３８から送信された車両の複合ＩＤキーKidが携帯電話１８に登録された状態となり、携帯電話１８を車両キーとして使用することが可能となる。
【００５２】
一方、管理サーバ３８が携帯電話１８から個人情報データを受信した際、このデータを入力した操作者がデータベース内に存在していないと判断すると、入力されたデータが間違っていると管理サーバ３８が認識して、管理サーバ３８はデータ再入力を促す旨の通知を携帯電話１８に返信する。携帯電話１８のＣＰＵ２４は、データ再入力を促す旨の通知を受信すると、画面３０にその旨を表示して操作者に個人情報データを再入力させる。
【００５３】
また、専用の書込装置３９からＩＤコードを取得する場合、書込装置３９から延びる接続ケーブル３９ａの一端を携帯電話１８の接続ポート４２に挿し込んで、携帯電話１８を書込装置３９に接続する。そして、書込装置３９の入力ボタンを操作して、書込装置３９の画面に、図３に示すＩＤコード入力画面４３を表示させる。このＩＤコード入力画面４３には、通信回路１９の製造番号を入力するための製造番号入力欄４３ａと、携帯キーＩＤコードを入力するためのＩＤコード入力欄４３ｂと、有効期限として設定したい日時を入力するための有効期限入力欄４３ｃとがある。使用者は、このＩＤコード入力画面４３に必要事項を入力した後、このＩＤ情報データを書込装置３９から携帯電話１８に出力する。
【００５４】
携帯電話１８が書込装置３９からＩＤ情報データを入力すると、携帯電話１８のＣＰＵ２４がこのＩＤ情報データを、インターフェース３１を介して通信回路１９に出力する。ここで、通信回路１９のメモリ３４には、自身の製造番号が登録されていることから、通信回路１９の制御ＩＣ３３は、入力したＩＤ情報データ内の製造番号と、自身に登録された製造番号とを比較する。制御ＩＣ３３は、これら製造番号が一致すれば、正規の登録操作によって複合ＩＤキーKidの入力操作が行われたと判断して、入力した複合ＩＤキーKidをメモリ３４に書き込む。これにより、書込装置３９から出力された車両の複合ＩＤキーKidが携帯電話１８に登録された状態となり、携帯電話１８を車両キーとして使用することが可能となる。
【００５５】
一方、書込装置３９から入力したＩＤ情報データの製造番号が異なっている場合、通信回路１９の制御ＩＣ３３は、入力データが誤データである旨の通知をＣＰＵ２４に出力する。ＣＰＵ２４は、入力データが誤データである旨の通知を入力すると、その旨の通知を書込装置３９に出力する。書込装置３９は、入力データが誤データである旨の通知を携帯電話１８から入力すると、自身の画面にその旨を表示して操作者にＩＤ情報データを再入力させる。なお、この誤データの通知は携帯電話１８で行ってもよい。なお、管理サーバ３８が外部サーバに相当し、書込装置３９が外部機器に相当する。
【００５６】
携帯電話１８への複合ＩＤキーKidの登録が完了すると、続いてリーダライタ１７に複合ＩＤキーKidを登録する作業に移る。この作業として、例えば起動ボタン２３を長押しするなどして、リーダライタ１７を複合ＩＤキー入力モードにする。この状態で、携帯電話１８を車外アンテナ２１（車内アンテナ２２）にかざすと、リーダライタ１７と通信回路１９との間で通信が行われ、リーダライタ１７が通信回路１９から複合ＩＤキーKidを受信する。リーダライタ１７は、通信回路１９から受信した複合ＩＤキーKidを自身のメモリ３６に書き込み、複合ＩＤキーKidの登録作業を完了する。
【００５７】
次に、携帯電話１８で各種車両動作を許可又は実行する際に、リーダライタ１７と携帯電話１８との間で行われる通信態様を図４に従って説明する。
起動ボタン２３が操作されて通信システム１６が起動すると、リーダライタ１７の通信コントローラ２０は、車外アンテナ２１（車内アンテナ２２）から、駆動電波Ｓc1をポーリング（呼びかけ）として外部に発信する。携帯電話１８を車外アンテナ２１（車内アンテナ２２）にかざし、携帯電話１８の通信回路１９がアンテナ３５を介して駆動電波Ｓc1を受信すると、通信回路１９が駆動電波Ｓc1により起動する。
【００５８】
起動を開始した通信回路１９は、自身の製造番号等の情報を含む応答信号Ｓc3をアンテナ３５からリーダライタ１７に返信する。通信コントローラ２０は、応答信号Ｓc3内の製造番号を参照して、現在通信している通信回路１９が通信可能な型番のものか判定し、通信可能であれば相互認証の処理に移行する。
【００５９】
続いて、通信回路１９と通信コントローラ２０との間で相互認証を行うが、この相互認証には、DES(Data Encryption Standard)と呼ばれる秘密鍵暗号化アルゴリズムを三重に適用したトリプルDESというセキュリティ性の高い暗号化通信が採用されている。トリプルDESは、例えば特定の文章を鍵（暗号表）Ｋａで暗号化し、その結果を鍵（暗号表）Ｋｂで復号し、更にその結果を鍵（暗号表）Ｋｃ(鍵Ｋａで行う場合もある)で暗号化する処理である。
【００６０】
この相互認証として、まず通信コントローラ２０は、乱数Rrを生成するとともに、その乱数Rrを送信データに含ませて暗号化し、その暗号化データを通信回路１９に送信する。通信回路１９は、通信コントローラ２０から受信した暗号化データを復号して乱数Rrを取り出すとともに、その乱数Rrを含んだ暗号化データを生成して、その暗号化データを通信コントローラ２０に返信する。通信コントローラ２０は、通信回路１９から受信した暗号化データを復号して乱数Rrを取り出し、自身が生成した乱数Rrと一致するか否かを判定する。
【００６１】
一方、通信回路１９も、乱数Rcを生成するとともに、その乱数Rcを送信データに含ませて暗号化し、その暗号化データを通信コントローラ２０に送信する。通信コントローラ２０は、通信回路１９から受信した暗号化データを復号して乱数Rcを取り出すとともに、その乱数Rcを含んだ暗号化データを生成して、その暗号化データを通信回路１９に返信する。通信回路１９は、通信コントローラ２０から受信した暗号化データを復号して乱数Rcを取り出し、自身が生成した乱数Rcと一致するか否かを判定する。通信コントローラ２０は、リーダライタ１７と通信回路１９との両方で乱数一致を認識すると、相互認証が成立したと判定する。
【００６２】
相互認証が成立すると、通信コントローラ２０は、通信回路１９にＩＤコード発信を要求すべくＩＤコード要求信号Ｓc4を通信回路１９に送信する。通信回路１９は、通信コントローラ２０からＩＤコード要求信号Ｓc4を受信すると、自身の複合ＩＤキーKidを乗せたＩＤコード信号Ｓc2を発信する。なお、ＩＤコード要求信号Ｓc4とＩＤコード信号Ｓc2とをやり取りする通信については、DESを一重だけ適用するシングルDESが採用されている。
【００６３】
通信コントローラ２０は、通信回路１９からＩＤコード信号Ｓc2を受信すると、そのＩＤコード信号Ｓc2に含まれる携帯キーＩＤコードと、自身に登録された携帯キーＩＤコードとを照合するとともに、ＩＤコード信号Ｓc2に含まれる有効期限が期限内が否かを判定する。通信コントローラ２０は、ＩＤ照合が成立するとともに携帯キーＩＤコードが有効期限内であれば、照合成立信号Ｓr1(Ｓr2)をドアＥＣＵ４やイモビライザーＥＣＵ８に出力する。これにより、例えばドアロックについては施錠又は解錠が実施され、エンジン１０についてはイモビライザーＥＣＵ８によるイモビロックが解除された状態となり、キーシリンダ１４に挿し込まれたメカニカルキー３７をオン位置まで回せばエンジン１０が始動する。
【００６４】
従って、専用キーを用いずにエンジン１０を始動する一例としては、例えば車両１のキーシリンダ１４にＩＤ照合機能のないメカニカルキー３７を挿したままにしておく。このようにメカニカルキー３７をキーシリンダ１４に挿したままにしておいても、メカニカルキー３７にはトランスポンダ２ａが内蔵されていないため、このメカニカルキー３７ではイモビライザーＥＣＵ８によるイモビロックを解除することができず、エンジン１０が始動できないので、車両盗難等のセキュリティ性の点に関しては何ら問題ない。
【００６５】
そして、メカニカルキー３７を挿したままの駐車車両に乗り込む際には、まず携帯電話１８を車外アンテナ２１にかざすことによりドアロックを解除して車両１に乗り込み、続いて携帯電話１８を車内アンテナ２２にかざしてイモビロックを解除する。イモビロックが解除されればエンジン始動が許可されるため、メカニカルキー３７をオン位置まで回せばエンジンスイッチ１４ａのスタータスイッチがオンし、エンジン１０が始動を開始する。よって、トランスポンダ２ａを内蔵していないメカニカルキー３７であっても、エンジン１０の始動を開始することが可能となる。
【００６６】
また、携帯電話１８に登録された携帯キーＩＤコードには有効期限があるので、その有効期限の期限内においてのみ、携帯電話１８を車両キーの代替キーとして使用することが許可される。よって、例えばレンタカー事業等で、複数の利用者に携帯キーＩＤコードを発行しても、有効期限を過ぎれば、その携帯キーＩＤコードは車両キーとして使用できなくなるため、携帯キーＩＤコードの不正使用による車両盗難等の問題が生じ難くなり、高いセキュリティ性を確保することが可能となる。
【００６７】  本実施形態の構成によれば、以下に記載の効果を得ることができる。  （１）駐車状態の車両１に乗り込むに際して、手元に専用キーがなくても、携帯電話１８を所有していれば、携帯電話１８を車外アンテナ２１にかざしてドアロックが解除され、車両１に乗り込んだ後、車内アンテナ２２に携帯電話１８をかざしてイモビロックが解除される。よって、携帯電話１８を所有していれば、キーシリンダ１４に挿したメカニカルキー３７をオン位置に回すことにより、エンジン１０を始動することができる。ところで、本例においては、FeliCa（登録商標）機能を有する携帯電話１８には、１台で複数のカード機能を満たす特徴があるため、この携帯電話１８に内蔵された通信回路１９に携帯キーＩＤコードを登録するだけで、携帯電話１８を車両キーとしても使用可能となる。よって、車両キー代替用の通信端末を別途用意する必要がないことも利点の一つである。【００６８】
（２）携帯電話１８に登録された携帯キーＩＤコードに有効期限が設定されているので、有効期限を過ぎれば、その携帯キーＩＤコードでは車両１のドアロックを解除したり、エンジン始動を許可したりすることができなくなる。従って、携帯電話１８を車両キーとして使用することを停止したい場合に、わざわざその携帯キーＩＤコードを削除する作業を行わずに済む。
【００６９】
（３）本例の電子キーシステムを採用すれば、例えば携帯電話１８にメカニカルキー用の鍵山等を設ける必要がないので、実施に際して現実性が高い。
（４）メカニカルキー３７を車内に保管、或いはキーシリンダ１４に挿したままとしておくと、車内に不正侵入した盗難者にメカニカルキー３７を盗まれることも考えられるが、メカニカルキー３７単体ではエンジン１１を始動できないので、車両盗難に対するセキュリティ性については問題ない。
【００７０】  （５）本例のように携帯電話１８でドアロックの施解錠やイモビロックの解除を許可するようにしても、この携帯電話１８とリーダライタ１７との間の無線通信には、高速無線通信が可能で高セキュリティであるFeliCa（登録商標）を使用しているので、高速の通信処理及び高いセキュリティ性も確保することができる。【００７１】
（６）リーダライタ１７と携帯電話１８との間の無線通信には、不要放射が小さい特性のある対称通信方式が使用され、しかも他方式に比べてトランザクション回数が少ないタイムスロット方式によって搬送波の衝突検出／回避を行うので、通信速度の高速化に非常に効果が高い。
【００７２】
（７）リーダライタ１７と携帯電話１８との間の無線通信には、搬送波の暗号化が用いられ、更にこの搬送波のデータを、リーダライタ１７と携帯電話１８との各々で認証（相互認証）するとともに、その相互認証ごとに暗号鍵を変える仕組み（本例はトリプルDES）を用いているので、高いセキュリティ性の確保に非常に効果がある。
【００７３】
（８）本例の通信システム１６は車両１に後付け可能であるので、リーダライタ１７と携帯電話１８との間で識別コードの照合が成立すれば専用キーを用いなくとも車両１の各種動作が許可又は実行される機能を、必要に応じて車両１に適宜設けることができる。また、車両１に通信システム１６を増設しても、イモビライザーシステムについては大幅な設計変更を殆ど必要としないことから、トランスポンダ２ａを用いたＩＤ照合も今まで通り実施することができる。
【００７４】
（９）携帯キーＩＤコードが使用条件を満たしているか否かの判断基準は、そのＩＤコードがいつまで使用可能かを表す有効期限である。従って、携帯キーＩＤコードが有効期限内であれば、その携帯キーＩＤコードが登録された携帯電話１８で、何度でもドアロックの解除やエンジン始動を行うことができる。
【００７５】
（１０）携帯電話１８の携帯キーＩＤコードが有効期限内か否かをリーダライタ１７が判定する際、今現在の時刻は電波時計２０ａの時間データから認識される。従って、例えば車両１に搭載されたバッテリの電力が無くなり、時計の電源が切れて時刻がリセットされたとしても、バッテリ交換後に電力が再供給された後、電波時計２０ａは自動で時刻修正を行うため、リーダライタ１７は正確な時刻を認識することができる。従って、リーダライタ１７が有効期限の判定を行う際に誤判定が生じ難くなる。
【００７６】
（１１）リーダライタ１７を起動する際に操作する起動ボタン２３を配設したので、起動ボタン２３が操作された時点から、リーダライタ１７は駆動電波Ｓc1を発信する。従って、起動ボタン２３が操作される前まではリーダライタ１７が待機状態をとることから、それ以前においてはリーダライタ１７に電力を要しないため、車両１に搭載されたバッテリの節約を図ることができる。
【００７７】
（１２）通信回路１９には、管理サーバ３８や専用の書込装置３９を用いて、携帯キーＩＤコードを書き込むことが可能であるため、例えば通信回路１９に新たなＩＤコードを適宜上書きすることもできる。よって、運転車両が変わる際には、その車両用の携帯キーＩＤコードを通信回路１９に新たに書き込めば、携帯電話１８でその車両が運転可能となることから、１つの携帯電話１８で複数の異なる車両１を運転することができる。また、車両１を買い換えたとしても、ＩＤコードを登録し直せば、今までの携帯電話１８で新規車両のドアロック施解錠やイモビロック解除も実施することができる。
【００７８】
なお、本実施形態は上記構成に限定されず、以下の態様に変更してもよい。
・  携帯電話１８の携帯キーＩＤコードが使用条件を満たしているか否かの判定は、携帯キーＩＤコードが有効期限内か否かを見る方法に限定されない。例えば、携帯電話１８の通信回路１９には、携帯キーＩＤコードとその使用許可回数が登録され、通信回路１９の携帯キーＩＤコードを通信コントローラ２０に登録する際、そのＩＤコードとともに使用許可回数が登録される。そして、通信コントローラ２０は、通信回路１９から携帯キーＩＤコードを受信して車両１の各種動作を許可又は実行する度に、使用可能回数を１ずつデクリメントし、使用可能回数が０となった時点で、自身に登録された携帯キーＩＤコードの使用を不許可とする構成でもよい。
【００７９】
・  携帯電話１８の携帯キーＩＤコードが使用条件を満たしているか否かの判定は、携帯キーＩＤコードの有効期限の日時と、電波時計２０ａの時計データから求まる今現在の日時とを比較して、今現在の日時が有効期限を過ぎているか否かを判定する方法に限定されない。例えば携帯電話１８の通信回路１９には、携帯キーＩＤコードとその使用許可時間（例えば１０時間）とが登録され、通信回路１９の携帯キーＩＤコードを通信コントローラ２０に登録する際、そのＩＤコードとともに使用許可時間が登録される。そして、通信コントローラ２０は、携帯キーＩＤコードを受信した時点で自身のタイマをセットし、計時開始から使用許可時間を経るとタイマがタイムアップして、携帯キーＩＤコードの使用を不許可とする構成でもよい。
【００８０】
・  携帯電話１８でドアロックを施解錠する際、リーダライタ１７と携帯電話１８との間でＩＤ照合が成立すると、自動でドアロックが施解錠されることに限定されない。例えば、ドアロック状態において、リーダライタ１７と携帯電話１８との間でＩＤ照合が成立した後、ドアハンドルノブに埋設したタッチセンサでドアハンドルノブへのタッチ操作を検出したことを条件にドアロックが解除されてもよい。また、ドアアンロック状態において、リーダライタ１７と携帯電話１８との間でＩＤ照合が成立した後、ドアハンドルノブに配設したドアロックスイッチが押されたことを条件にドアロックが施錠されてもよい。
【００８１】
・  リーダライタ１７と携帯電話１８との間で無線通信を行う際、必ずしも車外アンテナ２１及び車内アンテナ２２から駆動電波Ｓc1を同時に発信する構成に限定されない。例えば、車両駐車時においては、まず車外アンテナ２１から駆動電波Ｓc1を発信させ、ドアカーテシスイッチ等でドアの開閉操作を検出して運転者が車内に乗り込んだ後、車外アンテナ２１に代えて車内アンテナ２２から駆動電波Ｓc1を発信させる手順を経るようにしてもよい。
【００８２】
・  リーダライタ１７と携帯電話１８との間のＩＤ照合は、必ずしもリーダライタ１７が行うことに限定されない。例えば、リーダライタ１７が携帯電話１８からＩＤコード信号Ｓc2を受信した際、受信したＩＤコード信号Ｓc2の携帯キーＩＤコードをイモビライザーＥＣＵ８に橋渡し、イモビライザーＥＣＵ８でＩＤ照合を行ってもよい。
【００８３】
・  携帯電話１８と車外アンテナ２１との間でＩＤ照合（即ち、車外照合）が成立した際、ドアロックの施解錠が許可されることに限定されず、ドアロックの施解錠許可に加えて、エンジン始動を許可してもよい。
【００８４】  ・  リーダライタ１７への携帯キーＩＤコードの登録作業は、携帯電話１８の場合と同様に、管理サーバ３８や書込装置３９を用いて登録する方法を採用してもよい。  ・  リーダライタ１７と通信回路１９との間の無線通信の通信方式は、FeliCa（登録商標）で規格された通信方式に限らず、その通信方式は特に限定されない。【００８５】
・  リーダライタ１７を起動させる起動ボタン２３は、必ずしも必要ではない。即ち、起動ボタン２３を省略して、車外アンテナ２１及び車内アンテナ２２から駆動電波Ｓc1を常時発信させる構成としてもよい。
【００８６】
・  車両キーの代用として用いる端末は、携帯電話１８に限らず、通信回路１９が内蔵されているものであれば、例えばPDA(personal digital assistant)等の他の通信端末を採用してもよい。
【００８７】  次に、上記実施形態及び別例から把握できる技術的思想について、それらの効果とともに以下に追記する。  （１）請求項１〜８のいずれかにおいて、前記通信機器は、前記駆動電波の発信を前記第２車両アンテナに開始させるシステム起動用の操作手段を備えている。この場合、システム起動用の操作手段が操作されると、その時点から通信機器が駆動電波の発信を開始する。よって、操作手段が操作される前までは通信機器が待機状態となることから、それ以前においては通信機器に電力が必要とならないため、車両に搭載されたバッテリの電力の節約を図ることが可能となる。【００８８】  （２）請求項１〜８のいずれかにおいて、前記通信端末は、前記第２識別コードを管理する外部サーバ又は外部機器から当該第２識別コードを取り込み、その第２識別コードを当該前記通信端末に登録する登録手段を備えている。この場合、通信端末に識別コードが登録可能であることから、通信端末に新たな識別コードを上書きすることも可能である。よって、識別コードの書換え作業を行うことで、１つの通信端末で異なる複数の車両の各種車両動作を許可又は実行することが可能となり、システムの汎用性が向上する。【００８９】  （３）請求項１〜８のいずれかにおいて、前記通信端末は携帯電話に内蔵されている。この場合、例えばドアロックの施解錠やエンジン始動許可等の各種車両動作を、携帯電話によって行うことができる。
【図面の簡単な説明】
【００９０】
【図１】一実施形態における電子キーシステムの構成を示すブロック図。
【図２】携帯キーＩＤコードを携帯電話に登録する際のＩＤコード取得画面図。
【図３】携帯キーＩＤコードを携帯電話に登録する際のＩＤコード入力画面図。
【図４】リーダライタ及び携帯電話間で行われる無線通信のトランザクションチャート。
【符号の説明】
【００９１】
１…車両、２…車両キーとしてのワイヤレスキー、２ａ…無線タグとしてのトランスポンダ、３…制御ユニット（照合制御回路）を構成するセキュリティＥＣＵ、４…ドアロック制御回路としてのドアＥＣＵ、６…第１車両アンテナを構成するドアコントロールレシーバ、８…制御ユニット（始動許可制御回路）を構成するイモビライザーＥＣＵ、１０…エンジン、１３…第１車両アンテナを構成する送受信アンテナ、１７…通信機器としてのリーダライタ、１９…通信端末としての通信回路、２０ａ…電波時計、２１…第２車両アンテナを構成する車外アンテナ、２２…第２車両アンテナを構成する車内アンテナ、２３…操作手段としての起動ボタン、３３…登録手段としての制御ＩＣ、３４…メモリ、３８…外部サーバとしての管理サーバ、３９…外部機器としての書込装置、Kid…識別データとしての複合ＩＤキー、Ｓb1…タグ用駆動電波、Ｓc1…駆動電波、Ｒｒ，Ｒｃ…乱数。
【図１】
0004739924.tif 000002
【図２】
0004739924.tif 000003
【図３】
0004739924.tif 000004
【図４】
0004739924.tif 000005